(57)【要約】【課題】本発明は各種電気機器に使用されるスピーカのスピーカ取付装置に関するものであり、取付の容易なスピーカ取付装置を提供することを目的とするものである。【解決手段】本発明のスピーカの取付装置は、スピーカ１１のフレーム１２に設けられたスピーカ取付用孔１５の縁部１５ａと係合して係止する段部１６ａを設けた一対のクリップ１６と、前記スピーカ１１のフレーム１２に後方に突出して設けられた複数の位置決め突部１２ｂと、この位置決め突部１２ｂと係合するガイド孔１４ｂを前記スピーカ取付板１４に設けたものであり、位置決め突部１２ｂとガイド孔１４ｂを係合させて、そのまま押し込むだけで一対のクリップがスピーカ取付孔と係合して、効率的にスピーカ１１をスピーカ取付板１４に装着するものである。【選択図】図１
2005184590.tif 000002
【特許請求の範囲】
【請求項１】
少なくともスピーカのフレームに設けられたスピーカ取付け穴の縁部と係合して係止する係止部を設けた一対のクリップと、この一対のクリップの前記係止部と係合する縁部を有する前記スピーカ取付け穴を設けたスピーカ取付板からなるスピーカ取付装置であって、前記スピーカのフレームに後方に突出して設けられた複数の位置決め突部と、この位置決め突部と係合するガイドを前記スピーカ取付板に設けたスピーカ取付装置。
【請求項２】
少なくともスピーカのフレームに設けられた一端が自由端であり、その近傍にスピーカ取付け穴の縁部と係合して係止する段部を設けたＵ字状の弾性を有する一対のクリップと、この一対のクリップの前記段部と係合する縁部を有する前記スピーカ取付け穴を設けたスピーカ取付板からなるスピーカ取付装置であって、前記スピーカのフレームに後方に突出して設けられた複数の位置決め突部と、この位置決め突部と係合するガイドを前記スピーカ取付板に設けたスピーカ取付装置。
【請求項３】
フレームと一対のクリップと位置決め突部が樹脂成形により一体に形成されている請求項１または請求項２に記載のスピーカ取付装置。
【請求項４】
フレームに設けられたクリップおよび位置決め突部より外周にこれらを囲むようにフレームとスピーカ取付板間にシール材を介在させた請求項１または請求項２に記載のスピーカ取付装置。
【請求項５】
位置決め突部をクリップより後方に突出させた請求項１または請求項２に記載のスピーカ取付装置。
【発明の詳細な説明】
【技術分野】
【０００１】
本発明は車輌に搭載するスピーカに関し、ドアパネル等に容易にスピーカを取り付けることができるスピーカ取付装置に関するものである。
【背景技術】
【０００２】
従来の技術を図２のスピーカとスピーカ取付板との結合状態を示す断面図により説明する。
【０００３】
同図によると、１は内部構造は説明を省略するが外周に樹脂成形により形成されたフレーム２を有するスピーカであり、３はそのフレーム２の外周側の後方に設けられた爪部であり、６は同じく外周側の後方に設けられた一方が自由端となったクリップであり、スピーカ取付板４に設けられたスピーカ取付用孔５の端部に爪部３を引掛け、前記クリップ６を爪３と反対側のスピーカ取付用孔５のクリップ挿入孔７の縁部５ａにスナップにより弾性を持たせて自由端端部近傍の段部６ａを係合させてスピーカ取付板４に取り付けられるものである。
【０００４】
２ａは蓋であり、スピーカ取付板４のクリップ挿入孔７をスピーカ１のスピーカ取付板４への装着後、前記フレーム２の開口部９をこの蓋２ａで塞ぐことで、スピーカ１の前方からスピーカ１の後方への前記クリップ挿入孔７を介してのスピーカ１の後方から前方への音の回り込み防止を行うものである。
【０００５】
８はフレーム２の外周全周に施されたシール材であり、フレーム２とスピーカ取付板４間の密着性を向上させるもので、蓋２ａと同様スピーカ１の後方から前方への音の回り込み防止の機能を有すると共に、防振材としても機能するものである。
【０００６】
なお、このシール材８はフレーム２とスピーカ取付板の表面状態や材質によって必要とされない場合もある。
【０００７】
また、蓋２ａはフレーム２と別体のものとして説明したが、開閉自在とすることができれば、一体に樹脂成形により形成される場合もある。
【０００８】
なお、このような構成の従来技術としては、特許文献１がある。
【特許文献１】特開２００２−１３５８７３号公報
【発明の開示】
【発明が解決しようとする課題】
【０００９】
しかしながら上記の従来の構成では、過去行われていたねじ止めに比較してスピーカの取り付けは容易に行えるものの、爪部３をスピーカ取付用孔の端部に引掛けてから、この爪部３を支点にスピーカを回転させて、クリップ６の段部６ａをクリップ挿入孔７の縁部５ａに係止する必要があるため、引掛けと回転の２動作が必要となり、組み込み作業の効率化のネックとなると共に、爪部３をスピーカ取付用孔の端部に引掛けるために、引掛け時にこの爪部３に必要以上の力が加わるため、変形等を回避するために組み込み作業を慎重に行い、作業能率向上の阻害要因ともなるという課題を有するものであった。
【００１０】
本発明は上記従来の課題を解決するもので、スピーカ取付板に対して容易にスピーカを取り付けることができ、作業能率の向上が図れるスピーカ取付装置を提供することを目的とするものである。
【課題を解決するための手段】
【００１１】
上記課題を解決するために、本発明のスピーカ取付装置の請求項１に記載のものは、少なくともスピーカのフレームに設けられたスピーカ取付け穴の縁部と係合して係止する係止部を設けた一対のクリップと、この一対のクリップの前記係止部と係合する縁部を有する前記スピーカ取付け穴を設けたスピーカ取付板からなるスピーカ取付装置であって、前記スピーカのフレームに後方に突出して設けられた複数の位置決め突部と、この位置決め突部と係合するガイドを前記スピーカ取付板に設けたものであり、前記位置決め突部と前記スピーカ取付板のガイドを係合させて、そのまま押し込むだけで一対のクリップがスピーカ取付け穴と係合して、効率的にスピーカはスピーカ取付板に装着されるものである。
【００１２】
本発明のスピーカ取付装置の請求項２に記載のものは、少なくともスピーカのフレームに設けられた一端が自由端であり、その近傍にスピーカ取付け穴の縁部と係合して係止する段部を設けたＵ字状の弾性を有する一対のクリップと、この一対のクリップの前記段部と係合する縁部を有する前記スピーカ取付け穴を設けたスピーカ取付板からなるスピーカ取付装置であって、前記スピーカのフレームに後方に突出して設けられた複数の位置決め突部と、この位置決め突部が係合されるガイドを前記スピーカ取付板に設けたものであり、前記位置決め突部と前記スピーカ取付板のガイドを係合させて、そのまま押し込むだけで一対のクリップの段部でスピーカ取付け穴と係合して、効率的にスピーカはスピーカ取付板に装着されるとともに、クリップはＵ字状でその自由端側に前記段部を設けているため、弾性力が強化されてクリップはスピーカ取付板により確実に装着できるものである。
【００１３】
本発明のスピーカ取付装置の請求項３に記載のものは、請求項１または請求項２に記載のフレームと一対のクリップと位置決め突部が樹脂成形により一体に形成されているため、スピーカ取付装置の部品点数の削減とクリップと位置決め突部の位置精度の向上を図ることができるものである。
【００１４】
本発明のスピーカ取付装置の請求項４に記載のものは、請求項１または請求項２に記載のフレームに設けられたクリップおよび位置決め突部より外周にこれらを囲むようにフレームとスピーカ取付板間にシール材を介在させたものであり、スピーカ後方から前方へのこのフレームとスピーカ取付板間の隙間を介しての音の回り込みによる音響特性の劣化を防止できるものである。
【００１５】
本発明のスピーカ取付装置の請求項５に記載のものは、請求項１または請求項２に記載の位置決め突部をクリップより後方に突出させたものであり、スピーカ装着時に位置決め突部をガイドに係合したのちにクリップのスピーカ取付け穴に係合するため、装着作業が容易に行えるものである。
【発明の効果】
【００１６】
以上のように本発明は、フレームにクリップと位置決め突部を設け、スピーカ取付板側に対応する取付孔とガイドを設けることで、スピーカ取付板へのスピーカの取付けを作業性良く行えるものである。
【発明を実施するための最良の形態】
【００１７】
以下、本発明の一実施の形態について図１により説明する。
【００１８】
（実施の形態１）
以下本発明のスピーカ取付装置の一実施の形態について図１のスピーカとスピーカ取付板との結合状態を示す斜視図により、主として請求項１〜請求項５について説明する。
【００１９】
同図により、説明すると、１１は内部構造は既知のスピーカと同様で説明は省略するが外周に樹脂成形により形成されたフレーム１２を有するスピーカであり、１６は外周側の後方に設けられた一方が自由端となった一対のクリップであり、スピーカ取付板１４に設けられたスピーカ取付用孔１５の対角線上の位置の縁部１５ａにスナップにより弾性を持たせて自由端端部近傍の段部１６ａを係合させてスピーカ１１をスピーカ取付板１４に取り付けるものである。
【００２０】
１２ｂはこのクリップ１６よりも後方に突出した円錐状の位置決め突部であり、スピーカ取付板１４に設けられたガイド孔１４ｂに挿入されるものである。
【００２１】
なお、前記クリップ１６や位置決め突部１２ｂは樹脂フレーム１２と一体成形にて一体化して形成しているが、別個に作製して接着やカシメ等で一体化しても良い。
【００２２】
次に、本実施の形態のスピーカ取付装置によるスピーカ取付板１４へのスピーカの装着について説明すると、スピーカ取付板１４に設けられた複数のガイド孔１４ｂに対応した複数の位置決め突部１２ｂを夫々嵌め合わせ、そのまま挿入することで、スピーカ取付用孔１５の縁部１５ａにクリップ１６の自由端側を押し下げ、このクリップ１６の段部１６ａと前記スピーカ取付用孔１５の縁部１５ａで係止・係合してスピーカ１１をスピーカ取付板１４に装着するものである（係止の構造は従来のものと同様）。このとき、位置決め突部１２ｂをクリップ１６より後方に突出させているので、この位置決め突部１２ｂをガイド孔１４ｂに嵌め合わせることで、クリップ１６の挿入位置の確認が不要となり、装着の作業効率の向上が図れると共に、この位置決め突部１２ｂを円錐状にして先端をテーパー状に細くしてあるので、ガイド孔１４ｂへの嵌め合わせ、挿入は極めて容易に行えるものである。
【００２３】
なお、本実施の形態ではクリップ１６は対角線上に一対設けられているが、適宜、略等角度（２個の場合は本実施の形態のように略１８０°）で設ければ良く、クリップ１６の個数が多いほど装着強度が向上することになる。
【００２４】
また、位置決め突部１２ｂは、装着時の挿入ガイドとなるとともにスピーカ１１の装着後の回転方向の防止にも効果を有するものであり、装着時のガイド孔１４ｂと位置決め突部１２ｂの隙間は極めて僅少であることが望ましい。また、この位置決め突部１２ｂは２個以上であればよく、その内の一部（複数個）のみ、装着時のガイド孔１４ｂと位置決め突部１２ｂの隙間を極めて僅少として、装着の容易性と装着後の回転防止を図ることも可能である。
【００２５】
また、ガイド孔１４ｂはスピーカ取付板１４に設けられたスピーカ取付用孔１５の縁部１５ａを切り欠いた切欠き部として設けても良く、少なくとも位置決め突部１２ｂと嵌め合わせてクリップ１６の装着時のガイドとなるものであれば、切り欠きの程度は問わない。
【００２６】
なお、装着後のスピーカ１１の回転を防止するものであればより望ましい。
【００２７】
また、スピーカ１１の装着後に、スピーカ１１とスピーカ取付板１４間の微小な隙間からスピーカ１１の後方からの音が前方へ回り込んで音響特性に影響を与えるようであれば、クリップ１６や位置決め突部１２ｂより外周でこれらを囲むようにフレーム１２とスピーカ取付板１４間にフェルト等のシール材を介在させることで、この間を密閉し回り込みを防止することも可能である。
【産業上の利用可能性】
【００２８】
以上のように本発明は、フレームにクリップと位置決め突部を設け、スピーカ取付板側に対応する取付孔とガイドを設けることで、スピーカ取付板へのスピーカの取付けを作業性良く行えるものである。
【図面の簡単な説明】
【００２９】
【図１】本発明のスピーカ取付装置の一実施の形態のスピーカと取付部との結合を説明するための斜視図
【図２】従来のスピーカ取付装置のスピーカと取付部との結合状態を示す側断面図
【符号の説明】
【００３０】
１１  スピーカ
１２  フレーム
１２ｂ  位置決め突部
１４  スピーカ取付板
１４ｂ  ガイド孔
１５  スピーカ取付用孔
１５ａ  縁部
１６  クリップ
１６ａ  段部
【図１】
2005184590.tif 000003
【図２】
2005184590.tif 000004